(57)【要約】【課題】読取動作と記録動作を同時に行ったときに、読取部から排出された原稿と、記録部から排出された被記録材とが接触することを防ぎ、被記録材に記録された画像の乱れ、画像不良を防ぐ。【解決手段】原稿読取部２の排紙口３ｅは、記録部１の排紙口１ｄの上方に配置されると共に、原稿読取部２の排紙口２ｅと記録部１の排紙口１ｄとが同一方向を向いて配置される。記録部１の排紙口１ｄの上方に設けられた可動部材１０であって、記録部１の天面と記録部１の排紙口１ｄとの間の空間から待避した第１位置と、原稿読取部２から排出された原稿Ｓが記録部１の排紙口１ｄに到達しないように空間を遮断する第２位置とに移動可能に設けられた可動部材１０を備える。可動部材１０が第２位置に移動されたとき、原稿読取部２から排出された原稿Ｓは、原稿Ｓの先端が可動部材１０に当接した後、記録部１の上に載置される。【選択図】図３
2015039129.tif 000002
【特許請求の範囲】
【請求項１】
原稿を搬送させて該原稿の画像を読み取る読取部と、前記読取部によって読み取った前記原稿の画像を被記録材に記録する記録部と、前記記録部から排出された被記録材を収納する収納部と、を備え、前記読取部の排出口は、前記記録部の排出口の上方に配置されると共に、前記読取部の前記排出口と前記記録部の前記排出口とが同一方向を向いて配置された記録装置において、
前記記録部の前記排出口の上方に設けられた可動部材であって、前記記録部の天面と前記記録部の前記排出口との間の空間から待避した第１位置と、前記読取部から排出された原稿が前記記録部の前記排出口に到達しないように前記空間を遮断する第２位置とに移動可能に設けられた可動部材を備え、
前記可動部材が前記第２位置に移動されたとき、前記読取部から排出された原稿は、該原稿の先端が前記可動部材に当接した後に前記記録部の上に載置されることを特徴とする記録装置。
【請求項２】
前記読取部の前記排出口の上方に、前記読取部から排出された原稿の移動方向を案内するガイド部材が設けられ、
前記ガイド部材は、原稿の先端を前記可動部材に向かう方向へ導くと共に、原稿の長さ方向における中途部を前記読取部の前記排出口と前記記録部の前記排出口との間の空間において、前記読取部の前記排出口から排出される原稿の排出方向とは逆方向に向かって原稿を移動させる、請求項１に記載の記録装置。
【請求項３】
前記可動部材を前記第１位置と前記第２位置とに切り換える駆動機構を有し、
前記駆動機構は、前記読取部から排出された原稿の先端が前記可動部材の位置に到達する前に、前記可動部材を前記第１位置から前記第２位置に移動する、請求項１に記載の記録装置。
【請求項４】
前記収納部は、前記記録部の前記排出口の下方に、被記録材が収納される収納口を有し、
前記可動部材は、前記記録部の前記排出口及び前記収納部の前記収納口を覆う第３位置に移動可能に設けられ、前記可動部材が前記第３位置に移動されたとき、前記読取部から排出された原稿は、前記収納部の前記収納口の外側に導かれる、請求項１または２に記載の記録装置。
【請求項５】
前記可動部材を前記第１位置、前記第２位置及び前記第３位置に切り換える駆動機構を有し、
前記読取部から排出された原稿の先端が前記可動部材の位置に到達したときに、前記読取部が該原稿の読取継続中である場合、前記駆動機構は、前記可動部材を前記第２位置から前記第３位置に移動する、請求項４に記載の記録装置。
【請求項６】
原稿を搬送させて該原稿の画像を読み取る読取部と、前記読取部によって読み取った原稿の画像を被記録材に記録する記録部と、前記記録部から排出された被記録材を収納する収納口を有する収納部と、を備え、前記読取部の排出口は、前記記録部の排出口の上方に配置されると共に、前記読取部の前記排出口と前記記録部の前記排出口とが同一方向を向いて配置された記録装置において、
前記記録部の前記排出口の上方に設けられた可動部材であって、原稿の長さが所定値未満の場合に、前記記録部の天面と前記記録部の前記排出口との間の空間を遮断して前記読取部から排出された原稿を前記記録部の上に導く位置に移動されると共に、原稿の長さが所定値以上の場合に、前記読取部から排出された原稿を前記収納部の前記収納口の外側に導くように前記記録部の前記排出口及び前記収納部の前記収納口を覆う位置に移動される可動部材を備えることを特徴とする記録装置。
【請求項７】
原稿を搬送させて該原稿の画像を読み取る読取部と、前記読取部によって読み取った原稿の画像を被記録材に記録する記録部と、前記記録部から排出された被記録材を収納する収納部と、を備え、前記読取部の排出口は、前記記録部の排出口の上方に配置されると共に、前記読取部の前記排出口と前記記録部の前記排出口とが同一方向を向いて配置された記録装置に用いられる、原稿の経路切り換え方法であって、
前記記録部の前記排出口の上方に設けられた可動部材を、前記記録部の天面と前記記録部の前記排出口との間の空間から待避した第１位置と、前記読取部から排出された原稿が前記記録部の前記排出口に到達しないように前記空間を遮断する第２位置とに移動し、前記第２位置に移動された前記可動部材によって、前記読取部から排出された原稿を、該原稿の先端を前記可動部材に当接させた後に前記記録部の上に載置することを特徴とする原稿の経路切り換え方法。
【請求項８】
前記可動部材を、前記記録部の前記排出口及び前記収納部における被記録材が収納される収納口を覆う第３位置に移動し、前記第３位置に移動された前記可動部材によって、前記読取部から排出された原稿を、前記収納部の前記収納口の外側に導く、請求項７に記載の原稿の経路切り換え方法。
【請求項９】
原稿を搬送させて該原稿の画像を読み取る読取部と、前記読取部によって読み取った原稿の画像を被記録材に記録する記録部と、前記記録部から排出された被記録材を収納する収納口を有する収納部と、を備え、前記読取部の排出口は、前記記録部の排出口の上方に配置されると共に、前記読取部の前記排出口と前記記録部の前記排出口とが同一方向を向いて配置された記録装置に用いられる、原稿の経路切り換え方法であって、
原稿の長さが所定値未満の場合に、前記記録部の前記排出口の上方に移動可能に設けられた可動部材を、前記読取部から排出された原稿を前記記録部の上に導く位置に移動すると共に、原稿の長さが所定値以上の場合に、前記可動部材を、前記読取部から排出された原稿を前記収納部の前記収納口の外側に導くように前記記録部の前記排出口及び前記収納部の前記収納口を覆う位置に移動することを特徴とする原稿の経路切り換え方法。
【請求項１０】
原稿を搬送させて該原稿の画像を読み取る読取部と、前記読取部によって読み取った前記原稿の画像を被記録材に記録する記録部と、前記記録部から排出された被記録材を収納する収納部と、を備え、前記読取部の排出口は、前記記録部の排出口の上方に配置されると共に、前記読取部の前記排出口と前記記録部の前記排出口とが記録装置の同じ側に配置された記録装置において、
前記収納部の上方に設けられた可動部材であって、前記読取部の排出口から排出された原稿を前記収納部の外側に案内する第１位置と、前記読取部の排出口から排出された原稿の先端の進行を阻止する第２位置とに移動可能に設けられた可動部材を備え、
前記可動部材が前記第２位置に移動されたとき、前記読取部から排出される原稿は、該原稿の先端が前記可動部材に当接した状態で、前記記録部の上に垂下し、載置されることを特徴とする記録装置。
【請求項１１】
前記読取部の前記排出口から排出された原稿の移動方向を案内するガイド部材が設けられ、
前記ガイド部材は、前記読取部から排出されて先端が前記可動部材に当接した前記原稿の長さ方向における中途部を前記記録部の上に移動させる請求項１０に記載の記録装置。
【発明の詳細な説明】
【技術分野】
【０００１】
本発明は、原稿の画像を読み取る読取部を備える記録装置、及び読取部を備える記録装置に用いられる、原稿の経路切り換え方法に関する。
【背景技術】
【０００２】
読取部で原稿画像を読み取り、読み取ったデータを記録部で記録する記録装置が知られている。この種の記録装置では、特許文献１に開示されているように、被記録材の上方に原稿画像の読取部が配置される形態が一般的である。この理由は、ユーザーが原稿を給紙口に挿入する操作を行う必要があるので、読取部を操作し易い高さに配置し、読取部として所定の空間を確保する必要があるためである。
【０００３】
しかし、上述した構成の場合、原稿及び被記録材のサイズが大きい大判記録装置の場合、非常に大きなトレイが必要となり、非常に広いスペースが必要になってしまう。これを防ぐために、読取済の原稿が、記録済の被記録材の収納部に収納される記録装置も提案されている。このような記録装置では、原稿及び被記録材の回収時の操作性を向上させるために、読取済の原稿と記録済の被記録材のいずれも記録装置の前方へ排出される構造が一般的である。
【０００４】
このような記録装置を使用する場合、読取部で読み取った原稿画像のデータをすぐに記録部に転送し、被記録材上に記録する場合と、データをパーソナルコンピュータ内に保存するだけで記録を行わない場合との２通りがある。前者の場合、読取済の原稿と記録済の被記録材は、同じようなタイミングで記録装置から排出されるので、原稿と被記録材とが接触し、原稿によって記録済の被記録材の画像が乱されることがある。
【０００５】
一方、後者の場合には、データをパーソナルコンピュータ内に保存するだけであれば、読取済の原稿が、被記録材の収納部に収納されても、問題はない。しかし、このような記録装置は、ネットワークプリンタとして使用されることが多く、あるユーザーが読取部によって画像読取りしか行わない場合であっても、同時に別のユーザーがパーソナルコンピュータからのデータを記録部に転送することも発生する。この場合は、前者の場合と同様に、読取済の原稿と記録済の被記録材とが接触し、原稿によって記録済の被記録材の画像が乱されることがある。いずれにしても、読取済の原稿と記録済の被記録材とが接触することによって、記録済の被記録材の画像が乱れる恐れがある。これを回避するためには、読取部での原稿読取り動作が終了し、読取済の原稿が収納部に収納された後、記録済の被記録材の先端が排出されるようにすることで、読取済の原稿と記録済の被記録材とが接触しないように動作の順序を制限する必要があった。
【先行技術文献】
【特許文献】
【０００６】
【特許文献１】特開２００４−２１６７０９号公報
【発明の概要】
【発明が解決しようとする課題】
【０００７】
しかしながら、上述のように動作の順序が制限されることで、読取り動作と記録動作との並行処理を行うことができないので、読取り動作開始から記録動作終了までに、非常に長い時間を要するという問題がある。また、あるユーザーが原稿の読取り動作を行っている場合には、読取動作が終了するまで、別のユーザーの記録動作の開始も待たされるという問題が発生してしまう。
【０００８】
そこで、本発明は、読取部から排出された原稿と、記録部から排出された被記録材とが接触することを防ぎ、被記録材に記録された画像の乱れ、画像不良を防ぐことができる記録装置を提供することを目的とする。
【課題を解決するための手段】
【０００９】
上述した目的を解決するために、本発明に係る記録装置は、原稿を搬送させて該原稿の画像を読み取る読取部と、読取部によって読み取った原稿の画像を被記録材に記録する記録部と、記録部から排出された被記録材を収納する収納部と、を備え、読取部の排出口は、記録部の排出口の上方に配置されると共に、読取部の排出口と記録部の排出口とが同一方向を向いて配置された記録装置において、
記録部の排出口の上方に設けられた可動部材であって、記録部の天面と記録部の排出口との間の空間から待避した第１位置と、読取部から排出された原稿が記録部の排出口に到達しないように前記空間を遮断する第２位置とに移動可能に設けられた可動部材を備える。可動部材が第２位置に移動されたとき、読取部から排出された原稿は、原稿の先端が可動部材に当接した後に記録部の上に載置されることを特徴とする。
【００１０】
以上のように構成された記録装置によれば、読取動作と記録動作とを同時に行うときに、可動部材を第１位置から第２位置に移動されることで、可動部材によって読取部から排出された原稿が、記録部の排出口に向かうこと遮断される。そして、読取部から排出された原稿は、第２位置に移動された可動部材によって、原稿の先端が可動部材に当接した後に記録部の上に降下して、記録部の上に載置される。これによって、読取部から排出された原稿が、記録部から排出される被記録材と接触することが避けられる。
【００１１】
また、本発明に係る記録装置は、原稿を搬送させて該原稿の画像を読み取る読取部と、読取部によって読み取った原稿の画像を被記録材に記録する記録部と、記録部から排出された被記録材を収納する収納口を有する収納部と、を備え、読取部の排出口は、記録部の排出口の上方に配置されると共に、読取部の排出口と記録部の排出口とが同一方向を向いて配置された記録装置において、
記録部の排出口の上方に設けられた可動部材であって、原稿の長さが所定値未満の場合に、記録部の天面と記録部の排出口との間の空間を遮断して読取部から排出された原稿を記録部の上に導く位置に移動されると共に、原稿の長さが所定値以上の場合に、読取部から排出された原稿を収納部の収納口の外側に導くように記録部の排出口及び収納部の収納口を覆う位置に移動される可動部材を備えることを特徴とする。
【００１２】
以上のように構成された記録装置によれば、読取動作と記録動作とを同時に行うとき、原稿の長さが所定値未満の場合に、可動部材が記録部の天面と記録部の排出口との間の空間を遮断することで、読取部から排出された原稿が記録部の上に導かれる。また、原稿の長さが所定値以上の場合に、可動部材が記録部の排出口及び収納部の収納口を覆うことで、読取部から排出された原稿が収納部の収納口の外側に導かれる。これによって、記録部の上に載置される原稿の長さが所定値以上の場合に、記録部の上から原稿が落下することが避けられる。したがって、原稿の長さにかかわらずに、読取部から排出された原稿が、記録部から排出される被記録材と接触することが避けられる。
【００１３】
また、本発明に係る原稿の経路切り換え方法は、原稿を搬送させて該原稿の画像を読み取る読取部と、読取部によって読み取った原稿の画像を被記録材に記録する記録部と、記録部から排出された被記録材を収納する収納部と、を備え、読取部の排出口は、記録部の排出口の上方に配置されると共に、読取部の排出口と記録部の排出口とが同一方向を向いて配置された記録装置に用いられる、原稿の経路切り換え方法であって、
記録部の排出口の上方に設けられた可動部材を、記録部の天面と記録部の排出口との間の空間から待避した第１位置と、読取部から排出された原稿が記録部の排出口に到達しないように空間を遮断する第２位置とに移動し、第２位置に移動された可動部材によって、読取部から排出された原稿を、原稿の先端を可動部材に当接させた後に記録部の上に載置することを特徴とする。
【００１４】
また、本発明に係る原稿の経路切り換え方法は、原稿を搬送させて該原稿の画像を読み取る読取部と、読取部によって読み取った原稿の画像を被記録材に記録する記録部と、記録部から排出された被記録材を収納する収納口を有する収納部と、を備え、読取部の排出口は、記録部の排出口の上方に配置されると共に、読取部の排出口と記録部の排出口とが同一方向を向いて配置された記録装置に用いられる、原稿の経路切り換え方法であって、
原稿の長さが所定値未満の場合に、記録部の排出口の上方に移動可能に設けられた可動部材を、読取部から排出された原稿を記録部の上に導く位置に移動すると共に、原稿の長さが所定値以上の場合に、可動部材を、読取部から排出された原稿を収納部の収納口の外側に導くように記録部の排出口及び収納部の収納口を覆う位置に移動することを特徴とする。
【発明の効果】
【００１５】
本発明によれば、読取動作と記録動作とを同時に行うときに、可動部材によって、読取済の原稿を記録部の上に載置することが可能になり、読取済の原稿と記録済の被記録材とが接触することが避けられるので、被記録材に記録された画像の乱れを防ぐことができる。一方、特に複数枚の原稿を連続的に読み取るとき、複数の原稿を記録部の上に載置することが可能になるので、記録装置の操作性を向上することができる。
【００１６】
加えて、本発明によれば、原稿を載置するための部材を不要として小型化を達成できると共に、読取動作と記録動作とを並行して行うことができるので、記録が終了するまでに要する時間を短縮することが可能になる。
【図面の簡単な説明】
【００１７】
【図１】実施形態のインクジェットプリンタを示す斜視図である。
【図２】実施形態のインクジェットプリンタにおいて、原稿読取部を使用せずに、パーソナルコンピュータから送信された画像を記録部で記録する状態を示す断面図である。
【図３】実施形態のインクジェットプリンタにおいて、原稿読取部で読み取った画像を記録部で記録する状態であって、原稿の先端が可動部材に当接した状態を示す断面図である。
【図４】図３に示した状態から、原稿読取部から送られた原稿が曲げられた状態を示す断面図である。
【図５】図４に示した状態から、原稿読取部で読み取った画像の記録を終了し、原稿が記録部の天面に載置された状態を示す断面図である。
【図６】実施形態のインクジェットプリンタにおいて、長さが所定値以上の原稿を用いた状態を示す断面図である。
【図７】可動部材の位置を制御する処理を説明するためのフローチャートである。
【発明を実施するための形態】
【００１８】
以下、本発明の具体的な実施形態について図面を参照して説明する。
【００１９】
図１に、実施形態のインクジェットプリンタの斜視図を示す。図１に示すように、記録装置としての実施形態のインクジェットプリンタ（以下、プリンタと称する。）は、被記録材にインクを吐出して記録を行う記録部１と、原稿Ｓの画像を読み取る読取部としての原稿読取部２と、を備えている。また、実施形態のプリンタは、記録部１及び原稿読取部２を支持する装置スタンド３と、画像が読み取られた原稿Ｓ及び画像が記録された被記録材が収納される収納部４と、を備えている。
【００２０】
記録部１と原稿読取部２は、装置スタンド３上に載置されており、収納部４は、装置スタンド３の鉛直下方に取り付けられている。原稿読取部２は、記録部１の鉛直上方に配置されており、収納部４は、記録部１の鉛直下方に配置されている。
【００２１】
図２〜図６に、実施形態のプリンタの断面図を示す。プリンタの記録部１は、筐体１ａによって覆われており、筐体１ａの内部に、被記録材を供給する給紙部１ｂと、記録ヘッド部１ｃと、排出口としての排紙口１ｄと、を有している。原稿読取部２は、筐体２ａによって覆われており、筐体２ａの内部に、原稿Ｓを搬送する搬送部２ｂと、スキャナ部２ｃと、排紙ローラ対２ｄと、排出口としての排紙口２ｅとを有している。給紙部１ｂには、ロール状に巻かれた被記録材Ｐが収納されている。図１及び図２に示すように、原稿読取部２の排紙口２ｅは、記録部１の排紙口１ｄの鉛直上方に配置されると共に、原稿読取部２の排紙口２ｅと記録部１の排紙口１ｄとが同一方向を向いて配置されている。収納部４は、記録部１の排紙口１ｄの鉛直下方に、被記録材が収納される収納口４ａを有している。記録部１において、給紙部１ｂから供給された被記録材Ｐは、記録ヘッド部１ｃ、排紙口１ｄの順に搬送されて、収納口４ａから収納部４に収納される。原稿読取部２において、原稿Ｓは、搬送部２ｂ、スキャナ部２ｃ、排紙ローラ対２ｄ、排紙口２ｅの順に搬送される。
【００２２】
原稿読取部２の排紙口２ｅの近傍には、排紙口２ｅから排出された原稿Ｓの移動方向を案内するガイド部材としての上ガイド２ｆが設けられている。上ガイド２ｆは、原稿読取部２から排出された原稿Ｓを下方に導くための案内部材である。
【００２３】
上ガイド２ｆは、原稿Ｓの先端を後述の可動部材１０に向かう方向へ導く。また、上ガイド２ｆは、原稿Ｓの長さ方向における中途部を原稿読取部２の排紙口２ｅと記録部１の排紙口１ｄとの間の空間において、図４に示すように原稿読取部２の排紙口２ｅから排出される原稿Ｓの排出方向とは逆方向に向かって原稿Ｓを移動させる。
【００２４】
また、記録部１には、回動軸１１に回動可能に支持された可動部材１０が設けられている。可動部材１０は、図１に示すように櫛歯形状に形成されている。可動部材１０は、記録部１の筐体１ａの前面側に位置する排紙口１ｄの鉛直上方に配置されている。可動部材１０は、筐体１ａに対して回動軸１１を中心として第１位置、第２位置及び第３位置にそれぞれ回動可能に設けられている。
【００２５】
可動部材１０は、記録部１の天面と記録部１の排紙口１ｄとの間の空間から待避した第１位置と、原稿読取部２から排出された原稿Ｓが記録部１の排紙口１ｄに到達しないように上述の空間を遮断する第２位置とに移動可能に設けられている。また、可動部材１０は、記録部１の排紙口１ｄ及び収納部４の収納口４ａを覆う第３位置にも移動可能に設けられている。
【００２６】
第２位置に移動された可動部材１０は、原稿読取部２の排紙口２ｅから排出された原稿Ｓの先端の進行を阻止する。そのため、可動部材１０が第２位置に移動されたとき、原稿読取部２から排出された原稿Ｓは、原稿Ｓの先端が可動部材１０に当接した後に記録部１の天面に載置される。このとき、原稿読取部２から排出される原稿Ｓは、原稿Ｓの先端が可動部材１０に当接した状態で、記録部１の上に垂下し、載置される。
【００２７】
また、可動部材１０が第３位置に移動されたとき、原稿読取部２から排出された原稿Ｓは、収納部４の収納口４ａの外側に導かれる。可動部材１０は、駆動機構としてのモータ１３によって、回動軸１１回りに、第１位置、第２位置及び第３位置に回動される。
【００２８】
次に、実施形態のプリンタの動作について説明する。図２には、原稿読取部２に原稿Ｓをセットせずに、不図示のパーソナルコンピュータから送信された画像データを、記録部１の記録ヘッド部１ｃで記録を行っている状態を示す。このとき、可動部材１０は、第１位置に保持されている。第１位置に移動された可動部材１０は、記録部１の天面と記録部１の排紙口１ｄとの間の空間に張り出していないので、排紙口１ｄから排出された被記録材Ｐに記録された画像をユーザーが確認し易くされている。
【００２９】
図３〜図５は、原稿読取部２によって読み取った原稿Ｓの画像を、記録部１によって被記録材Ｐに記録する状態を示している。図３に示すように、可動部材１０は、図２に示した第１位置に保持された状態から、回動軸１１を中心として反時計回りに回動されて第２位置に保持されている。
【００３０】
図３に示すように、原稿読取部２にセットされた原稿Ｓは、搬送部２ｂのローラ対によってスキャナ部２ｃに搬送され、スキャナ部２ｃによって原稿Ｓの画像の読み取り動作が開始される。原稿Ｓが更に搬送されたとき、原稿Ｓの先端部は、排紙ローラ対２ｄ、排紙口２ｅを通り、筐体２ａの外部に排出される。その後、排紙口２ｅの近傍に設けられた上ガイド２ｆによって、原稿Ｓは、原稿読取部２の下方に案内され、原稿Ｓの先端部が第２位置に保持された可動部材１０に当接する。一方、記録部１では、スキャナ部２ｃによって読み取られた原稿Ｓの画像データが、記録ヘッド部１ｃによって被記録材Ｐに記録される。そして、被記録材Ｐの先端は、排紙口１ｄから記録部１の筐体１ａの外部に排出され、収納部４に導かれる。
【００３１】
図４には、原稿Ｓが更に搬送され、スキャナ部２ｃでの読み取り動作が終了した状態を示す。原稿Ｓの先端が可動部材１０によって規制された状態で、排紙ローラ対２ｄによって更に原稿Ｓが搬送されたとき、上ガイド２ｆの働きによって、原稿Ｓが図４に示すように徐々に図中右方向へ膨らんでいく。原稿Ｓが更に搬送されたとき、原稿Ｓの膨らみ部分は、記録部１と原稿読取部２との間の空間を、図４中の右方向へ進んでいく。一方、記録部１では、上述と同様にスキャナ部２ｃで読み取られた原稿Ｓの画像データが、記録ヘッド部１ｃによって被記録材Ｐに更に記録される。
【００３２】
図５には、図４に示したように、記録部１と原稿読取部２との間の空間に突出するように膨らんだ原稿Ｓが、記録部１の筐体１ａの天面上に載置された状態を示す。図４に示したように、記録部１と原稿読取部２との間の空間に突出するように膨らんだ原稿Ｓの後端は、排紙ローラ対２ｄによって原稿読取部２から排出されるときの勢いで図５中の右方向へ移動する。このように移動した原稿Ｓは、図５に示すように、最終的に記録部１の筐体１ａの天面上に載置される。
【００３３】
また、記録部１の筐体１ａの天面には、図１に示すように、天面から突出する複数のリブが、原稿読取部２の排出口から原稿Ｓが送られる搬送方向に沿って形成されている。リブによって、筐体１ａの天面に載置された原稿Ｓをユーザーが取り易くされている。一方、記録部１では、画像が記録された被記録材Ｐが不図示のカッタによって切断され、被記録材Ｐが収納部４内に収納される。このように、記録済の被記録材Ｐは、原稿読取部２から排出された原稿Ｓと接触することなく、収納部４に収納されるので、原稿Ｓと擦れて画像が乱れることはない。
【００３４】
図６には、原稿読取部２にセットされた原稿Ｓの長さが所定値以上である場合を示している。可動部材１０は、図３〜図５に示した第２位置に保持された状態から、回動軸１１を中心として更に反時計回りに回動させて第３位置に保持されている。原稿読取部２にセットされた原稿Ｓは、搬送部２ｂのローラ対でスキャナ部２ｃへ搬送されて画像の読み取り動作が開始された後、原稿Ｓの先端部は、排紙ローラ対２ｄ、排紙口２ｅを通り、筐体２ａの外部に排出される。その後、排紙口２ｅに設けられた上ガイド２ｆによって、排紙口２ｅから排出された原稿Ｓは、原稿読取部２の下方に向かうように案内される。
【００３５】
ここで、図３〜図５に示した場合のように、可動部材１０が第２位置に保持されていた場合、原稿Ｓは、記録部１の筐体１ａの天面上に案内されてしまう。しかし、原稿Ｓの長さが所定値以上であるので、図５に示すように、記録部１の筐体１ａの天面上にきれいに載置されずに、原稿Ｓの後端部が記録部１の後方に滑り落ちたり、原稿Ｓが二つ折りに重なってしまったりする。そこで、可動部材１０が第３位置に保持されることで、原稿Ｓの先端部が可動部材１０に接触したとしても、原稿Ｓの進行方向と可動部材１０の主面とがなす角度が浅いので、原稿Ｓはそのまま記録部１の下方へ搬送される。そして、可動部材１０は、記録部１の排紙口１ｄ及び収納部４の収納口４ａを塞いだ位置に保持されているので、原稿Ｓは収納部４に収納されずに、収納部４の外側へ案内される。
【００３６】
続いて、スキャナ部２ｃで原稿Ｓの後端部まで読み取り動作が終了したとき、排紙ローラ対２ｄの回転を停止する。これによって、原稿Ｓは、原稿読取部２から落下することなく排紙ローラ対２ｄによって保持される。スキャナ部２ｃで読み取られた原稿Ｓの画像データは、記録部１に送られ、記録ヘッド部１ｃによって被記録材Ｐ上に画像が記録される。記録部１での動作は、上述と同一であるので説明を省略する。このように、記録済の被記録材Ｐは、原稿Ｓと接触することなく、収納部４に収納されるので、原稿Ｓと擦れて画像が乱れることはない。
【００３７】
図７に、可動部材１０の移動を制御する場合の処理を説明するためのローチャートを示す。記録部１の筐体１ａの天面には、原稿読取部２から排出された原稿Ｓが載置されているか否かを検出するための、不図示の原稿検出センサが設けられている。このように構成されたプリンタにおける動作について、図７を参照して説明する。
【００３８】
原稿読取部２において原稿Ｓの読取りが開始されたとき（ステップＳ１）、第１位置に保持されていた可動部材１０を、不図示のモータによって第２位置へ移動させる（ステップＳ２）。そして、原稿Ｓの先端からスキャナ部２ｃまでの距離、即ちスキャナ部２ｃによって読み取った長さＬを計測する（ステップＳ３）。ここで、原稿Ｓの長さＬが、所定値以上であるか否かを判定する（ステップＳ４）。ここで所定値とは、読取済の原稿Ｓを、記録部１の筐体１ａの天面上に、載置可能である最大長さを指している。これは、長さが長過ぎる原稿Ｓは、記録部１の筐体１ａの天面上にきれいに載置されず、原稿Ｓの後端部が記録部１の排出口とは逆方向の後方に滑り落ちたり、原稿Ｓの後端が図右方向へスムーズに移動せず、そのまま二つ折りになって載置されたりするためである。
【００３９】
原稿Ｓの長さＬが所定値以下の場合は、原稿読取動作を継続すると同時に、原稿Ｓを読み取った長さＬを監視する。そして、原稿Ｓを読み取った長さＬが所定値未満で読取り動作が終了した場合（ステップＳ５）は、原稿Ｓの長さが、記録部１の筐体１ａの天面上に載置可能な長さである場合である。この場合には、不図示の原稿検出センサによって、記録部１の筐体１ａの天面上に読取済の原稿Ｓがあるか否かを検出する（ステップＳ６）。このとき、原稿検出センサによって原稿Ｓが検出されず、読取済の原稿Ｓが、ユーザーによって取り除かれていた場合は、可動部材１０をモータ１３によって回動させて第１位置に戻し（ステップＳ７）、次の原稿Ｓの読取りの待ち状態となる（ステップＳ８）。
【００４０】
一方、原稿読取部２から排出された原稿Ｓの先端が可動部材１０の位置に到達したときに、原稿読取部２が原稿の読取継続中である場合は、原稿Ｓの長さＬが所定値以上である場合であり、可動部材１０を第２位置から第３位置に移動する。ステップＳ４に示すように、原稿Ｓの長さＬが所定値以上である場合には、読取済の原稿Ｓを記録部１の筐体１ａの天面上に載置することができない場合である。この場合には、まず、不図示の原稿検出センサを用いて、記録部１の筐体１ａの天面上に読取済の原稿Ｓがあるか否かを検出する（ステップＳ１０）。これは、記録部１の筐体１ａの天面上に読取済の原稿Ｓがある場合には、可動部材１０を第３位置に移動させたときに、筐体１ａの天面上に載置されている読取済の原稿Ｓが落下する恐れがあるためである。筐体１ａの天面上に読取済の原稿Ｓがある場合は、原稿Ｓの読取りを中断する（ステップＳ１１）。
【００４１】
記録部１の筐体１ａの天面上に読取済の原稿Ｓがない場合、または、その後、ユーザーによって読取済の原稿Ｓが取り除かれた場合は、モータ１３によって可動部材１０を第３位置へ移動させる（ステップＳ１２）。続いて、スキャナ部２ｃによって原稿Ｓの読取り動作を継続する、または再開する（ステップＳ１３）。そして、原稿Ｓの後端までの読取りが終了したとき（ステップＳ１４）、排紙ローラ対２ｄを停止させ（ステップＳ１５）、原稿Ｓが落下しないように保持する。そして、ユーザーが原稿Ｓを排紙ローラ対２ｄから外し（ステップＳ１６）、その後、次の原稿Ｓの読取り動作の待機状態になる。このように原稿Ｓの長さＬに応じて、原稿読取部２から排出された原稿の経路切り換えが行われている。
【００４２】
上述したように、実施形態のプリンタによれば、読取動作と記録動作とを同時に行うときに、可動部材１０によって、読取済の原稿Ｓを記録部の天面に載置することができる。このため、実施形態のプリンタは、読取済の原稿と記録済の被記録材とが接触することを避けられるので、被記録材に記録された画像が乱れることを防ぐことができる。一方、実施形態のプリンタは、特に複数枚の原稿Ｓを原稿読取部２で連続的に読み取るとき、複数の原稿Ｓを記録部の上に載置することが可能になるので、プリンタの操作性を向上することができる。
【００４３】
また、原稿の長さが所定値以上である場合は、可動部材を第３の位置に移動させ、原稿を、記録済の被記録材を収納する収納部４の外側に導くことができる。このため、実施形態のプリンタは、上述と同様に、読取済の原稿Ｓが記録済の被記録材と接触することが避けられるので、被記録材に記録された画像が乱れることを防ぐことができる。
【００４４】
また、上述したいずれの場合でも、実施形態は、原稿Ｓを載置するための専用の積載トレイを不要として小型化を達成できると共に、読取動作と記録動作とを並行して行うことができるので、記録が終了するまでに要する時間を短縮することが可能になる。
【００４５】
なお、上述した実施形態において、記録部１の筐体１ａの天面には、複数のリブが設けられて構成されたが、複数のリブの代わりに、原稿Ｓの端部に凹みを設けることで、ユーザーが原稿Ｓを取り易く構成されても勿論よい。
【符号の説明】
【００４６】
１  記録部
１ｄ  排紙口
２  原稿読取部
２ｅ  排紙口
４  収納部
１０  可動部材
Ｓ  原稿
【図１】
2015039129.tif 000003
【図２】
2015039129.tif 000004
【図３】
2015039129.tif 000005
【図４】
2015039129.tif 000006
【図５】
2015039129.tif 000007
【図６】
2015039129.tif 000008
【図７】
2015039129.tif 000009